(57)【要約】【課題】装置の重量を軽量化し高速追従性を向上させると共に、組立精度を向上しチルト方向のレンズ傾きを軽減することができる光ピックアップ装置を提供する。【解決手段】対物レンズ２を保持するレンズホルダ３に、駆動コイル１２を介在させて駆動マグネット１５と対向させたヨーク１８を挿通する左右一対の透孔３３〜３６をフォーカシング方向に形成し、少なくとも先端側を二叉状に形成したヨーク１８の先端をそれぞれ透孔３３〜３６の開口に露出させている。レンズホルダ３に透孔３３〜３６を形成すると共に、ヨーク１８を二叉状に形成することによって、レンズホルダ３が軽量化され、光ピックアップ装置の高速高速追従性が可能となる。【選択図】      図１
2005018863.tif 000002
【特許請求の範囲】
【請求項１】
光源からの出射光を光記録媒体に収束させる対物レンズを保持するレンズホルダと、このレンズホルダをトラッキング方向とフォーカシング方向に移動可能に支持するホルダ支持部材と、前記レンズホルダの周面に配置された複数の駆動コイルと、この駆動コイルに対向する位置に配置されて前記駆動コイルと複数の磁気駆動回路を構成する駆動マグネットと、この駆動マグネットと前記駆動コイルを介在させて対向させたヨークとを有する光ピックアップ装置であって、
前記レンズホルダは、前記ヨークを挿通する左右一対の透孔がフォーカシング方向に形成され、
前記ヨークは、少なくとも先端側が二叉状に形成されると共に、各先端をそれぞれ前記透孔の開口に露出させたことを特徴とする光ピックアップ装置。
【請求項２】
前記レンズホルダに形成された左右一対の透孔は、前記対物レンズを保持するレンズ保持部と、前記レンズ保持部の外側に離間させて配置した前記駆動コイルが配置される外枠部との間に形成され、少なくとも前記レンズホルダの上面側に設けられた前記レンズ保持部と外枠部とを連結するブリッジ部によって区切ることにより形成した請求項１に記載の光ピックアップ装置。
【請求項３】
前記レンズホルダに形成された開口は、トラッキング方向に左右対称に形成され、前記ヨークに形成された二叉状の各先端が前記開口の内面からそれぞれ所定距離を離間して配置した請求項１に記載の光ピックアップ装置。
【請求項４】
前記レンズホルダに形成された開口は、トラッキング方向の内面が前記レンズホルダの可動範囲を超えたときのストッパーとして構成した請求項１および２に記載の光ピックアップ装置。
【請求項５】
前記レンズホルダは、前記ホルダ支持部材により複数本のワイヤによりトラッキング方向とフォーカシング方向に移動可能に支持され、前記駆動コイルが無通電時には前記ヨークの二叉状の先端が前記レンズホルダの開口のほぼ中央に位置する請求項１に記載の光ピックアップ装置。
【発明の詳細な説明】
【０００１】
【発明の属する技術分野】
本発明は、ＣＤやＤＶＤなどの光記録ディスクの記録、再生等に用いられる光ピックアップ装置に関するものである。更に詳しくは、特に、対物レンズを保持するレンズホルダをワイヤによって支持するワイヤサスペンション方式の光ピックアップ装置に関する。
【０００２】
【従来の技術】
ＣＤやＤＶＤなどの光記録ディスクの記録、再生等に用いられる光ピックアップ装置として、対物レンズを保持したレンズホルダをワイヤによって支持し、対物レンズをトラッキング方向とフォーカシング方向に駆動するワイヤサスペンション方式が知られている。このワイヤサスペンション方式の光ピックアップ装置は、対物レンズを保持しているレンズホルダと、このレンズホルダをワイヤで支持しているレンズホルダ支持部材と、レンズホルダをトラッキング方向とフォーカシング方向に駆動するための磁気駆動機構を有している。磁気駆動機構は、レンズホルダの側面にフォーカシング用駆動コイル、トラッキング用駆動コイルを備え、レンズホルダ支持部材に設けたトラッキング・フォーカシング用駆動マグネットを備えている。
【０００３】
このようなワイヤサスペンション方式の光ピックアップ装置においては、通常４本のワイヤによってレンズホルダを支持していることから、これらワイヤの取付け精度やワイヤ自体の弾性率のばらつき等によって、レンズホルダが光軸に対して傾斜する場合がある。前記対物レンズを透過する信号再生ビームの光軸が光ディスク面に対して傾いていると光学的な収差が発生しクロストークが増大し再生信号が劣化する。また、信号記録ビームの光軸が光ディスク面に対して傾いていると記録信号の劣化を生じ、ピット形成ミスを生じることがある。一方、ディスク駆動装置の高速化に伴い、レンズホルダを軽量化すると共に、剛性を向上させてアクチュエータの高速追従性能を向上させるニーズも大きくなっている。
【０００４】
従来の光ピックアップ装置においては、ディスクの径方向のそり量を検出して信号ビームを適正な傾きに補正するために、例えば、特開平６−１６２５４０号公報（特許文献１）に開示されている光ディスク装置においては、前記磁気駆動機構として、一対の矩形状のチルト駆動用コイルを複数本のワイヤによって支持された対物レンズホルダの側面に配設すると共に、前記チルト駆動用コイルに対向するように一対のチルト用駆動マグネットを設けて、チルト方向のビーム光制御を行うようにしている。一方、レンズホルダの軽量化および剛性向上のためには、レンズホルダ用素材として軽量高剛性を有する新たな素材の開発と共に、数値解析などによるレンズホルダ構造の改良がなされている（例えば特許文献２，３参照）。
【０００５】
【特許文献１】
特開平６−１６２５４０号公報
【特許文献２】
特開平９−３５３０３号公報
【特許文献３】
特開平９−１９８６７６号公報
【０００６】
【発明が解決しようとする課題】
上述した特許文献１に開示された光ピックアップ装置によって、チルト方向のビーム光の傾きを補正することが可能になる。しかし、チルト補正用の一対のチルト駆動用コイルを対物レンズホルダのｘ方向の両側面に配設すると共に、トラッキング用駆動コイルをｙ方向の両側面に配設しているので、光ピックアップ装置が必然的に大型になると共に重量が大きくなり、光ディスクのピットに対して高速度に追従することができない問題がある。また、これら各駆動コイルおよび駆動マグネット等に対向させて磁気回路を構成する各ヨークも、数量が増すために光ピックアップ装置の重量を大きくさせる要因となると共に、多くのヨークを必要とするために構成が複雑になり、コストもアップする問題点がある。更に、構成が複雑なために、装置の組立が煩雑になり、歩留を向上することができない問題もある。
【０００７】
そこで、本発明は、装置の重量を軽量化し高速追従性を向上させると共に、組立精度を向上しチルト方向のレンズ傾きを軽減することができる光ピックアップ装置を提供することを目的とする。
【０００８】
【課題を解決するための手段】
上記目的を達成するために、本発明の請求項１記載の光ピックアップ装置は、対物レンズを保持するレンズホルダに、駆動コイルを介在させて駆動マグネットと対向させたヨークを挿通する左右一対の透孔をフォーカシング方向に形成し、少なくとも先端側を二叉状に形成した上記ヨークの先端をそれぞれ上記透孔の開口に露出させている。レンズホルダにヨークを挿通するための透孔を形成すると共に、上記ヨークを二叉状に形成することによって、レンズホルダを軽量化することができ、光ピックアップ装置の高速追従性を向上させることが可能となる。また、組立時に上記透孔の露出したヨークの先端の位置を確認することによってレンズホルダの組立精度を確認することが可能となり、歩留まりが向上して生産性を向上させることができる。
【０００９】
また、請求項２記載の光ピックアップ装置は、前記レンズホルダに形成された左右一対の透孔は、前記対物レンズを保持するレンズ保持部と、前記レンズ保持部の外側に離間させて配置した前記駆動コイルが配置される外枠部との間に形成され、少なくとも前記レンズホルダの上面側に設けられた前記レンズ保持部と外枠部とを連結するブリッジ部によって区切ることにより形成している。左右一対の透孔をレンズホルダのレンズ保持部と外枠部との間に形成することによって、レンズホルダ内に空間が形成され、レンズホルダ自体を軽量化するので高速追従性を向上させることが可能となる。また、レンズ保持部と外枠部との間をブリッジ部によって連結しているので、レンズ保持部および外枠部を肉薄に形成してもレンズホルダの剛性を向上させることが可能となる。
【００１０】
更に、請求項３記載の光ピックアップ装置は、前記レンズホルダの形成された一対の開口は、トラッキング方向に左右対称に形成され、前記ヨークに形成された二叉状の各先端が前記開口の内面からそれぞれ所定距離を離間して配置している。組立時に、ヨークの先端と開口の内面との距離を計測または確認することにより、組立精度を容易に判断することが可能となる。
【００１１】
更にまた、請求項４記載の光ピックアップ装置は、前記レンズホルダに形成した開口を、トラッキング方向の内面が前記レンズホルダの可動範囲を超えたときのストッパーとして構成している。レンズホルダの開口を前記ヨークに当接させることによって、レンズホルダの異常動作を停止させることが可能となり、損傷を未然に防止することができる。
【００１２】
また、請求項５記載の光ピックアップ装置は、前記レンズホルダは、前記ホルダ支持部材により複数本のワイヤによりトラッキング方向とフォーカシング方向に移動可能に支持され、前記駆動コイルが無通電時には前記ヨークの二叉状の先端が前記レンズホルダの開口のほぼ中央に位置するようにしている。組立作業時等の無通電時に、ヨークの二叉状の先端が開口のほぼ中央に位置することが確認されることによって、ワイヤの支持状態とレンズホルダの組立位置の確認が可能となり、光ピックアップ装置の組立精度を向上することができる。
【００１３】
【発明の実施の形態】
以下、本発明にかかる光ピックアップ装置の一実施形態を図面に基づいて説明する。
【００１４】
光ピックアップ装置は、ＣＤ或いはＤＶＤなどの光記録ディスクに対する情報記録、情報再生を行うものであり、レーザ光源から出射されたレーザ光をハーフミラーで反射し、対物レンズで集光させて光記録ディスクの情報記録面に焦点を結ぶように構成されている。光記録ディスクで反射した光は、対物レンズおよびハーフミラーを通過して光検出器に入射させ、この光検出器の受光する光信号に基づいて情報再生処理が行われる。また、光検出器から出力信号に基づいて、対物レンズ駆動機構を駆動制御して対物レンズのトラッキング方向とフォーカシング方向、或いはチルト方向の位置や角度をサーボ制御する一方、レーザ光源を駆動制御する。上記対物レンズは、図１に示すワイヤサスペンション方式の対物レンズ駆動機構によって駆動制御される。
【００１５】
図１は、本形態における光ピックアップ装置の対物レンズ駆動機構を示す斜視図であり、上記対物レンズをチルト方向に駆動する駆動機構も備えている。対物レンズ駆動機構１は、対物レンズ２を保持しているレンズホルダ３と、レンズホルダ３を６本のワイヤ４、５、６、７（ワイヤ８、９は図示しない）で支持している支持部材２６と、レンズホルダ３を矢印Ｔｒで示すトラッキング方向、矢印Ｆｏで示すフォーカシング方向、および、矢印Ｔｉで示すチルト方向に駆動するための磁気駆動機構を有している。ワイヤ４、５、６は、後述するフォーカシング駆動コイル１２、トラッキング用駆動コイル１３、およびチルト用駆動コイル１４へ通電するための電流路を構成している。
【００１６】
磁気駆動機構は、後述するレンズホルダ３の胴部周囲に設けた環状のフォーカシング駆動コイル１２と、フォーカシング駆動コイル１２の外面に貼付された４個の平面コイルからなるトラッキング用駆動コイル１３と、一対のチルト用駆動コイル１４とを備えている。また、ホルダ支持部材１０は、フォーカシング駆動コイル１２、およびトラッキング用駆動コイル１３に対向する一対のトラッキング・フォーカシング用駆動マグネット１５と、フォーカシング駆動コイル１２、およびチルト用駆動コイル１４に対向する一対のフォーカシング・チルト用駆動マグネット１６とを備えている。
【００１７】
上記フォーカシング・チルト用駆動マグネット１６は、レンズホルダ３に対してトラッキング方向Ｔｒの外側でホルダ支持部材１０の底板から起立形成した外ヨーク１７の内面に固着されている。また、ホルダ支持部材１０には、外ヨーク１７の内面に対向する位置に内ヨーク１８が設けられている。
【００１８】
一対のトラッキング・フォーカシング用駆動マグネット１５は、フォーカシング・チルト用駆動マグネット１６に対して直交する向きにホルダ支持部材１０の底板から起立形成した一対の外ヨーク１９の内面に固着されている。また、ホルダ支持部材１０には、レンズホルダ３の内側であって外ヨーク１９の内面に対向する位置に内ヨーク２０が設けられている。
【００１９】
このように構成した対物レンズ駆動機構１において、フォーカシング駆動コイル１２はフォーカシング・チルト用駆動マグネット１６と、トラッキング・フォーカシング用駆動マグネット１５に対向させ、フォーカシング駆動コイル１２に所定の電流がワイヤを介して通電されることにより、レンズホルダ３をフォーカシング方向Ｆｏに駆動することができる。
【００２０】
チルト用駆動コイル１４は、フォーカシング・チルト用駆動マグネット１６に対向しており、チルト用駆動コイル１４に所定の電流がワイヤを介して通電されることにより、レンズホルダ３をチルト方向Ｔｉに駆動することができる。
【００２１】
トラッキング用駆動コイル１３は、トラッキング・フォーカシング用駆動マグネット１５に対向していて、トラッキング用駆動コイル１３に所定の電流がワイヤを介して通電されることにより、レンズホルダ３をトラッキング方向Ｔｒに駆動することができる。
【００２２】
レンズホルダ３は、図４に示すように、対物レンズ２を保持するように、中央に略円形の透孔を有するレンズ保持部３ａと、外周面にフォーカシング駆動コイル１２を巻回すと共に、タンジェンシャル方向Ｔａの両側に各々２個のコイルからなるトラッキング用駆動コイル１３を配設した外枠部３ｂとを備えている。更に、上記外枠部３ｂはレンズ保持部３ａとの間を離間していて、上下方向、即ちフォーカシング方向Ｆｏに連通する空間がタンジェンシャル方向Ｔａとトラッキング方向Ｔｒの各両側に形成されている。また、これら外枠部３ｂとレンズ保持部３ａとの間には、レンズホルダ３の上側に設けられた各々ブリッジ部３ｃ、３ｄによって連結されていて、ブリッジ部３ｃ、３ｄにより上記空間が区切られ、タンジェンシャル方向Ｔａの両側には一対の透孔３３、３４が形成され、トラッキング方向Ｔｒの両側には、一対の透孔３５、３６が各々形成されている。これら開口は、タンジェンシャル方向Ｔａおよびトラッキング方向Ｔｒにおいて左右対称に形成されている。なお、前述したチルト用駆動コイル１４は、図４に示すように、トラッキング方向Ｔｒの両側に形成された矩形の空間の下側内面に貼設されている。
【００２３】
一方、外ヨーク１７の内面に対向する内ヨーク１８、および、外ヨーク１９の内面に対向する内ヨーク２０は、レンズホルダ３に形成された前記空間に各々挿通される。これら内ヨーク１８、２０の先端側は、図３および図４に示すように二叉状に形成されていて、内ヨーク１８の先端１８ａ、内ヨーク２０の先端２０ａは、前記ブリッジ部２ｃ、２ｄを避けて前述した透孔３３、３４、３５、３６の開口にそれぞれ露出させている。従って、内ヨーク１８の二叉状の先端１８ａは、透孔３３、３４の開口の内面に対してほぼ等距離を隔てて中央に配置され、内ヨーク２０の二叉状の先端２０ａは、透孔３５、３６の開口の内面に対してほぼ等距離を隔てて中央に配置される。これら内ヨーク１８、２０の先端の開口との位置が、後述するように組立精度の確保に大いに関係する。
【００２４】
上述したように、レンズホルダ３にレンズ保持部３ａと外枠部３ｂとを離間して形成し、この間をブリッジ部３ｃ、３ｄによって連結する構成にすることによって、レンズホルダ３は大幅に軽量化される。また、レンズ保持部３ａと外枠部３ｂとの間の空間内にチルト用駆動コイル１４を配設することによって、小型化することができる。一方、内ヨーク１８、２０の先端側を二叉状に形成することによって、ヨークを軽量化することができ、上記レンズホルダ３の軽量化と相俟って、光ピックアップ装置の可動部分が軽量化されるので、高速追従性を向上させることが可能となる。
【００２５】
上述した対物レンズ２を保持するレンズホルダ３は、所定のバネ定数を有する６本のワイヤ４、５、６・・により、トラッキング方向Ｔｒとフォーカシング方向Ｆｏおよびチルト方向Ｔｉに移動可能に支持されている。これらワイヤ４、５、６・・は、レンズホルダ３のトラッキング方向Ｔｒ外側の両側に各々３本を組として、図２に示すように、ワイヤ４および６をレンズホルダ３のフォーカシング方向Ｆｏの上面側と下面側に配置し、ワイヤ５はワイヤ４および６のフォーカシング方向Ｆｏの中心位置より上面側のワイヤ４寄りに配置している。これらワイヤ４、５、６は、レンズホルダ３のフォーカシング方向Ｆｏの上側と下側およびその中間に各々平行に離間させている。尚、３本のワイヤからなる組は、レンズホルダ３のトラッキング方向Ｔｒの両側において対称に配置され、かつ同一に構成しているので、図２においては、ワイヤ４、５、６からなる一方の組についてのみ説明し、他方の組については一方の組と同じであるので説明を省略する。
【００２６】
一方の組のワイヤ４、５、６は、基端側をホルダ支持部材１０に対して垂直に取り付けた例えばプリント基板２１の配線パターンに半田等により各々固定されている。また、ワイヤ４および６の先端側は、レンズホルダ３の前方側に設けた固定部２３、２４に、例えば接着等の手段によって固定すると共に、更に延長させてレンズホルダ３の前方側に貼設したプリント基板２２の配線パターンに半田等により各々接続することにより固定している。ワイヤ４寄りに位置させたワイヤ５の先端側は、固定部２３に形成した透孔に挿通させてプリント基板２２の配線パターンに半田等により固定している。上記透孔は、内径をワイヤ５の外径寸法よりも十分大きく形成しているので、ワイヤ５の動きを妨げることはない。
【００２７】
以上のように構成した光ピックアップ装置において、図５に示すレンズホルダーユニット３０をホルダ支持部材１０に装着することによって組み立てられる。すなわち、レンズホルダーユニット３０は、まず、前述したように、レンズホルダ３の中央のレンズ保持部３ａに対物レンズ２を装着保持すると共に、外枠部３ｂの外周面にフォーカシング駆動コイル１２およびトラッキング用駆動コイル１３を配設し、更に、空間の下側内面にチルト用駆動コイル１４が貼設することによって組み立てられる。更に、６本のワイヤ４、５、６・・の先端端をレンズホルダ３に貼設したプリント基板２２の配線パターンに半田等により各々接続することにより固定すると共に、基端側を支持部材２６に取り付けたプリント基板２１の配線パターンに半田等により各々固定してレンズホルダーユニット３０を組み立てる。
【００２８】
一方、ホルダ支持部材１０は、図５に示すように、底板１０ａから起立形成した一対の外ヨーク１９にトラッキング・フォーカシング用駆動マグネット１５を固着すると共に、同様に底板１０ａから起立形成した一対の外ヨーク１７にフォーカシング・チルト用駆動マグネット１６を固着している。また、これら外ヨーク１９、１７に対向する内ヨーク１８、２０は、１枚の金属板から基端側を起立形成すると共に、上記底板１０ｂにスポット溶接等の固着手段によって一体に形成されている。
【００２９】
そして、上述したホルダ支持部材１０の上方からレンズホルダーユニット４０を下降して、レンズホルダ３に形成された前記空間に各々挿通することにより、内ヨーク１８、２０の先端側を前述した透孔３３、３４、３５、３６の開口にそれぞれ露出させる。更に、支持部材２６の底面に形成した係合突起（図示しない）を底板１０ａに形成した係合孔１０ｂに挿入して位置決めされた状態で固定される。
【００３０】
このように組み立てた状態において、上記レンズホルダーユニット３０が予め定められた精度で組み立てられ、また、レンズホルダーユニット３０がホルダ支持部材１０に精度良く装着されているならば、各々の内ヨーク１８、２０の先端１８ａ、２０ａは透孔３３、３４、３５、３６の開口の内面に対してほぼ等距離を隔てて中央に配置される。しかし、例えば、レンズホルダーユニット３０のワイヤ４、５、６・・の固定精度が悪い場合やワイヤ等に歪みが生じている場合、或いは、レンズホルダーユニット４０とホルダ支持部材１０との取付精度が悪い場合には、各々の内ヨーク１８、２０の先端１８ａ、２０ａは透孔３３、３４、３５、３６の開口の内面に対して偏奇した位置になる。この偏奇寸法が所定の範囲を超えたときは、この光ピックアップ装置が不良と判定される。
【００３１】
このように、組立作業時、すなわち、フォーカシング駆動コイル１２およびトラッキング用駆動コイル１３等を駆動しない無通電状態において、透孔３３、３４、３５、３６の開口と各々の内ヨーク１８、２０の先端１８ａ、２０ａの位置を確認することによって、組立精度を容易に判定することができ、不良品を未然に除去することにより、歩留まりを向上することが可能となる。
【００３２】
また、図６に示すように、レンズホルダ３に形成された開口の内面と、例えば内ヨーク２０のトラッキング方向Ｔｒの端面との間の寸法Ｇを、レンズホルダ３のトラッキング方向Ｔｒにおける通常の可動範囲よりもやや大きい寸法に設定することにより、レンズホルダ３を異常に駆動した場合には、上記開口の内面をストッパーとして機能させることができる。すなわち、フォーカシング駆動コイル１２およびトラッキング用駆動コイル１３等を駆動する通電状態において、駆動制御回路等の異常によってトラッキング用駆動コイル１３に過渡的な電流を通電すると、レンズホルダ３はトラッキング方向Ｔｒの通常の可動範囲を超えてしまう。このとき、レンズホルダ３に形成された開口のトラッキング方向Ｔｒの内面が内ヨーク２０に当接することによってレンズホルダ３の過度な移動が阻止される。従って、開口のトラッキング方向Ｔｒの内面をストッパーとして構成することができる。
【００３３】
上述した実施形態においては、レンズホルダ３に形成された透孔３３、３４、３５、３６の開口と各々の内ヨーク１８、２０の先端１８ａ、２０ａとを使用したが、光ピックアップ装置としては、レンズホルダ３のトラッキング方向Ｔｒの位置関係の確認、或いはストッパーが必要となるので、一方の透孔３５、３６の開口と各々の内ヨーク２０の先端２０ａを使用するようにしてもよい。
【００３４】
以上、本発明者によってなされた発明の実施形態を具体的に説明したが、本発明は上記実施形態に限定されるものではなく、その要旨を逸脱しない範囲で種々変形可能であるというのはいうまでもない。前述した光ピックアップ装置の構成に限定されることはなく、他の構成であってもよい。
【００３５】
【発明の効果】
以上述べたように、本発明による光ピックアップ装置は、対物レンズを保持するレンズホルダにヨークを挿通するための透孔をフォーカシング方向に形成し、先端側を二叉状に形成した上記ヨークの各先端をそれぞれ上記透孔の開口に露出させたので、レンズホルダに形成した透孔、および二叉状に形成したヨークによって、レンズホルダを軽量化することができ、光ピックアップ装置の高速追従性を向上させることが可能となる。また、上記透孔に露出したヨークの先端の位置を確認することにより、組立時等の無通電状態におけるレンズホルダの組立精度を確認することが可能となり、歩留まりが向上して生産性を向上させることができる。
【００３６】
また、請求項２の発明によれば、前記レンズホルダに形成された左右一対の透孔を、対物レンズを保持するレンズ保持部と、この外側に離間させて配置した外枠部との間に形成し、両者を連結するブリッジ部によって区切ることにより形成しているので、レンズホルダ内に空間が形成され、レンズホルダ自体の重量を軽減することが可能となる。
【００３７】
更に、請求項３の発明によれば、レンズホルダの形成された一対の開口を、トラッキング方向に左右対称に形成され、ヨークに形成された二叉状の各先端を前記開口の内面からそれぞれ所定距離を離間して配置するように構成することによって、組立時に、ヨークの先端と開口の内面との距離を計測または確認することにより、組立精度を容易に判断することが可能となる。
【００３８】
更にまた、請求項４の発明によれば、前記レンズホルダに形成した開口を、レンズホルダが可動範囲を超えたときのストッパーとして構成することにより、レンズホルダの異常動作を停止させることが可能となり、損傷を未然に防止することができる。
【００３９】
また、請求項５の発明によれば、レンズホルダは、複数本のワイヤによりトラッキング方向とフォーカシング方向に移動可能に支持され、無通電時にヨークの二叉状の先端が前記レンズホルダの開口のほぼ中央に位置させることによって、この位置を確認することによって、ワイヤの支持状態とレンズホルダの組立位置の確認が可能となり、光ピックアップ装置の組立精度を向上することが可能となる。
【図面の簡単な説明】
【図１】本発明の実施形態にかかる光ピックアップ装置の対物レンズ駆動機構を示す斜視図である。
【図２】図１に示された対物レンズ駆動機構を示す側面図である。
【図３】図１に示された対物レンズ駆動機構を示す平面図である。
【図４】本発明のレンズホルダを示す要部斜視図である。
【図５】本発明の対物レンズ駆動機構の組立状態を示す分解斜視図である。
【図６】本発明のレンズホルダを示す要部正面図である。
【符号の説明】
１          対物レンズ駆動機構
２          対物レンズ
３          レンズホルダ
３ａ        レンズ保持部
３ｂ        外枠部
３ｃ、３ｄ  ブリッジ部
４〜６      ワイヤ
１０        ホルダ支持部材
１２        フォーカシング駆動コイル
１３        トラッキング用駆動コイル
１４        チルト用駆動コイル
１７        外ヨーク
１８        内ヨーク
１８ａ      先端
１９        外ヨーク
２０        内ヨーク
２０ａ      先端
３３〜３６  透孔
Ｆｏ        フォーカシング方向
Ｔｉ        チルト方向
Ｔｒ        トラッキング方向
【図１】
2005018863.tif 000003
【図２】
2005018863.tif 000004
【図３】
2005018863.tif 000005
【図４】
2005018863.tif 000006
【図５】
2005018863.tif 000007
【図６】
2005018863.tif 000008